(57)【特許請求の範囲】
【請求項１】
内部が渦流室に形成されるポンプケーシングの周壁構成部材をゴム等の耐磨耗弾性材料製となし、該部材の外周面に後記環状ストレーナの周壁内周面へ近接する膨出部と周壁内周面から離隔する陥所と隔在させ、陥所から膨出部へ移行する部位で内側へ面して後記受圧誘導辺の当接する受圧面を縦設し、周壁構成部材の上面に重合される剛体製シールプレートの下面周辺部より前記陥所へ当接される補強壁を配設し、該補強壁の側縁部を前記受圧面へ対向する受圧誘導辺に形成すると共に外側に締付用ボルト螺装孔を有する取付座を付設し、剛性を保有して上面周辺部を前記周壁構成部材の下面に重合されるサクションカバーの中央にポンプ吸込口を開口させ周辺部に上記螺装孔と同心状のボルト頭係止孔を配設し、前記補強壁の下端は前記周壁構成部材の下端よりも上方にあってサクションカバー上面との間に若干の間隙が形成され、周壁に通水孔を配設し底板周辺部には前記ボルト頭係止孔と同心状に配設されたボルト操作窓を有する剛体製の環状ストレーナを前記周壁構成部材の外周面に嵌合させ、締付用ボルトの先端をボルト頭係止孔を介して取付座の螺装孔へ螺装しボルト頭の頚部でボルト頭係止孔の孔縁部を押圧させることにより、ポンプケーシングの周壁構成部材とサクションカバーが一体に結合されると共に周壁構成部材が縦方向に圧縮されて径方向に膨出する作用が受圧誘導辺に接する受圧面付近で外径方向へ誘導されて膨出部がストレーナ周壁の内周面へ圧接するよう構成したことを特徴とする、水中ポンプにおけるサクションカバーおよびストレーナの定着構造。
【発明の詳細な説明】
【０００１】
【発明の技術分野】
本発明は、水中ポンプにおけるサクションカバーおよびストレーナの定着構造に関するものである。
【０００２】
【従来技術とその問題点】
水中ポンプにおいて耐摩耗性を保有させるためポンプケーシングをゴム製とした場合、その組立に普通のボルトを使用すれば、締付時における圧縮力によりポンプケーシングの軸方向の寸法が一定に保てなくなる。そのため従来は図７に示すような構造により、スペーサ兼用の高価な特殊ボルト１０８ａを用いてサクションカバー１１０と共にポンプケーシング１０１を仕切板１０５へ結合させている。しかしポンプケーシング１０１およびサクションカバー１１０と同時にストレーナ１１３を取付けることはできず、ポンプケーシング１０１およびサクションカバー１１０を袋ナット付ボルト１０８ｂにより定着させたのち、図８に示すよう改めてストレーナ１１３をナット１０８ｃで定着しなければならず、組立工数が増すと共に部品点数も多くなる。また、ゴム製ポンプケーシング１０１の周壁の要所（通常３ヶ所）がボルト１０８ａによって線状に補強されるに過ぎないため、ポンプ運転時の内圧によりポンプケーシング１０１が変形してポンプ機能に影響を及ぼすことになる。
【０００３】
【発明の目的】
本発明の目的は、従来のような高価な特殊ボルトを用いることなくゴム製ポンプケーシングの軸方向の寸法を一定に保つことができると共に内圧による変形を防止でき、サクションカバーの定着操作に伴ってストレーナの定着がボルトレスの態様で行われ、組立工数および部品点数を減少させてローコストにポンプを生産し得るポンプケーシングおよびストレーナの定着構造を提供することにある。
【０００４】
【発明の構成】
本発明に係る水中ポンプにおけるサクションカバーおよびストレーナの定着構造では、内部が渦流室に形成されるポンプケーシングの周壁構成部材をゴム等の耐摩耗弾性材料製となし、該部材の外周面に後記環状ストレーナの周壁内周面へ近接する膨出部と周壁内周面から離隔する陥所とを隔在させ、陥所から膨出部へ移行する部位で内側へ面して後記受圧誘導辺の当接する受圧面を縦設し、周壁構成部材の上面に重合される剛体製シールプレートの下面周辺部より前記陥所へ当接される補強壁を配設し、該補強壁の側縁部を前記受圧面へ対向する受圧誘導辺に形成すると共に外側に締付用ボルト螺装孔を有する取付座を付設し、剛性を保有して上面周辺部を前記周壁構成部材の下面に重合されるサクションカバーの中央にポンプ吸込口を開口させ周辺部に上記螺装孔と同心状のボルト頭係止孔を配設し、前記補強壁の下端は前記周壁構成部材の下端よりも上方にあってサクションカバー上面との間に若干の間隙が形成され、周壁に通水孔を配設し底板周辺部には前記ボルト頭係止孔と同心状に配設されたボルト操作窓を有する剛体製の環状ストレーナを前記周壁構成部材の外周面に嵌合させ、締付用ボルトの先端をボルト頭係止孔を介して取付座の螺装孔へ螺装しボルト頭の頚部でボルト頭係止孔の孔縁部を押圧させることにより、ポンプケーシングの周壁構成部材とサクションカバーが一体に結合されると共に周壁構成部材が縦方向に圧縮されて径方向に膨出する作用が、受圧誘導辺に接する受圧面付近で外径方向へ誘導されて膨出部がストレーナ周壁の内周面へ圧接するよう構成した。
【０００５】
【実施例】
以下実施例の図１ないし図６により説明をする。
【０００６】
１は内部が渦巻室２に形成されるポンプケーシングの周壁構成部材であって、ゴム等の耐摩耗弾性材料で作られており外周面は後記環状ストレーナ１３の周壁内面へ近接する膨出部１ａと、周壁内周面から離隔する陥所１ｂとが隔在し、陥所１ｂから膨出部１ａへ移行する部位で内側へ面して後記受圧誘導辺６ｅの当接する受圧面１ｃが縦設されている。３はモータ軸４の導下部に嵌着されて渦巻室２内に収容された羽根車、５は前記周壁構成部材１の上面に重合されてポンプケーシングの上壁を構成する剛体製のシールプレートであり、その下面周辺部の要所より周壁構成部材１の外周面の陥所１ｂへ当接される補強壁６・・・・６が配設されており、該補強壁６・・・・６の各側縁部は前記受圧面１ｃに対向する受圧誘導辺６ｅに形成されている。７は各補強壁６・・・・６の外側に付設された取付座であり、その下面には締付用ボルト８の螺装孔９がそれぞれ穿設されている。１０は前記周壁構成部材１の下面に重合されてポンプケーシングの下壁を構成するサクションカバーであり、中央にポンプ吸込口１１を開口させて周辺部には前記螺装孔９・・・・９と同心状のボルト頭係止孔１２・・・・１２を配設して、金属等の硬質材料で作られ、或いはゴム等の耐摩耗弾性材料の内部に金属板を埋装するなどにより剛性が保有させられている。前記補強壁６・・・・６の下端は前記周壁構成部材１の下端よりもやや上方にあってサクションカバー１０の上面との間に若干の間隙ｇが形成されている。１３は周壁に通水孔１４・・・・１４を配設した剛体製の環状ストレーナであり、その底板周辺部には前記ボルト頭係止孔１２・・・・１２と同心状にボルト操作窓１６・・・・１６を有している。
【０００７】
受圧誘導辺６ｅ・・・・６ｅを受圧面１ｃへ対向させた状態でシールプレート５を周壁構成部材１の上面へ重合させ、該周壁構成部材１の下面にはサクションカバー１０を重合させ、ボルト        頭係止孔１２・・・・１２を介して締付用ボルト８・・・・８の先端部を螺装孔９・・・・９へ螺装し、サクションカバー１０を周壁構成部材１の下面へ仮止めした状態で、環状ストレーナ１３をポンプケーシングの周壁構成部材１の外周面に嵌合させ、環状ストレーナ１３の底板下方から操作窓１６・・・・１６を介して締付用ボルト８・・・・８を螺着し、ボルト頭１５・・・・１５の頚部でボルト係止孔１２・・・・１２の孔縁部を押圧させることにより、ポンプケーシングの周壁構成部材１とサクションカバー１０が一体に結合されると共に周壁構成部材１が縦方向に圧縮されて径方向に膨出する作用が、受圧誘導辺６ｅ・・・・６ｅに接する受圧面１ｃ・・・・１ｃ付近で外径方向へ誘導されて膨出部１ａがストレーナ１３の周壁内周面へ圧接する。つまり、ストレーナ１３はボルトレスの態様でポンプケーシングの外周へ強固に嵌着されることになる。また、ポンプケーシングの周壁構成部材１の外周面の陥所１ｂ・・・・１ｂは補強壁６・・・・６の存在により広範囲に亘って面状に補強せられ、内圧によって変形することを防止されるが、同時に、サクションカバー１０の結合時においてポンプケーシングの軸方向の寸法が該補強壁６・・・・６によって一定に保たれることになる。
【０００８】
【発明の効果】
本発明に係る水中ポンプにおけるサクションカバーおよびストレーナの定着構造によれば、従来のような高価な特殊ボルトを用いることなくゴム製ポンプケーシングの軸方向の寸法を一定に保つことができると共に内圧による変形を防止でき、サクションカバーの定着操作に伴ってストレーナの定着がボルトレスの態様で行われ、組立工数および部品点数を減少させてローコストにポンプを生産し得るという利点がある。
【図面の簡単な説明】
【図１】  本発明の一実施例におけるサクションカバーおよびストレーナの定着構造を示す要部縦断側面図である。
【図２】  本発明構造を構成するポンプケーシングの側壁構成部材の底面図である。
【図３】  本発明構造を構成するサクションカバー（ポンプケーシングの下壁構成部材）の底面図である。
【図４】  本発明構造を構成するシールプレート（ポンプケーシングの上壁構成部材）の底面図である。
【図５】  本発明構造におけるポンプケーシングの周壁構成部材とシールプレートを嵌合させた状態を示す底面図である。
【図６】  図５のＡ−Ａ線における縦断側面図である。
【図７】  従来の定着構造を示す要部縦断側面図であって、ポンプケーシングおよびサクションカバーをシールプレートに結合した状態である。
【図８】  図７の状態から更にストレーナを結合させた状態を示す。
【符号の説明】
１      ポンプケーシングの周壁構成部材
１ａ    膨出部
１ｂ    陥所
１ｃ    受圧面
２      渦巻室
５      シールプレート
６      補強壁
６ｅ    受圧誘導辺
７      取付座
８      締付用ボルト
９      螺装孔
１０    サクションカバー
１１    ポンプ吸込口
１２    ボルト頭係止孔
１３    環状ストレーナ
１４    通水孔
１５    ボルト頭
１６    ボルト操作窓
ｇ      間隙
【図１】
0004435944.tif 000002
【図２】
0004435944.tif 000003
【図３】
0004435944.tif 000004
【図４】
0004435944.tif 000005
【図５】
0004435944.tif 000006
【図６】
0004435944.tif 000007
【図７】
0004435944.tif 000008
【図８】
0004435944.tif 000009